(57)【要約】【課題】  漏水が軽減又は防止された機能パネルの取付構造を提供する。【解決手段】  特定の固定部材と、太陽電池モジュールなどの機能パネルで、機能パネルの取付構造を構成する。  この取付構造によれば、機能パネルを屋根上に取付けるための固定部材と屋根板との間に形成される隙間を金属板で覆うか、あるいは固定部材を、屋根板上に固定されたベース部材と前記ベース部材上に固定された支持部材と固定部材と前記ベース部材の桁方向両側面に相対する一対の断面略Ｌ形の金属部材と嵌合させるので、従来、固定部材ないしこれに用いられる固定主体と屋根材との間に生じていた隙間における漏水を軽減又は防止することができる。【選択図】      図３
2016176315.tif 000002
【特許請求の範囲】
【請求項１】
屋根板と、断面略Ｉ形又はＨ形状の一対のレール材からなる固定主体とから構成され、
前記固定主体を、間隔を存して前記屋根板に固定するとともに、
少なくとも前記屋根板と固定部材との間の隙間を覆うよう、所要の厚さの金属板を設けること
を特徴とする機能パネルの固定部材。
【請求項２】
屋根板上に固定された、断面略Ｉ形又はＨ形状の少なくとも一対のレール材からなる固定主体と、
前記固定主体間に挟持された機能パネルを備え、
少なくとも前記固定主体と前記屋根板との間の隙間は、所要の厚さの金属板で覆われていること
を特徴とする機能パネルの取付構造。
【請求項３】
前記機能パネルは、
その周囲端縁にフレームを備えるとともに、前記フレームを係止、支持し得るケース体によって、前記固定主体間に固定されていること
を特徴とする請求項２に記載の機能パネルの取付構造。
【請求項４】
前記機能パネルは、
太陽電池モジュールであること
を特徴とする請求項２又は３に記載の機能パネルの取付構造。
【請求項５】
屋根板上に固定されたベース部材と、
前記ベース部材上に固定された支持部材と、
前記ベース部材の桁方向両側面に相対する一対の断面略Ｌ形状の金属部材と、
前記ベース部材と支持部材と金属部材と嵌合する、断面略Ｉ形又はＨ形状のレール材からなる固定主体と、
前記固定主体間に挟持された機能パネルを備えること
を特徴とする請求項２〜４のいずれかに記載の機能パネルの取付構造。
【発明の詳細な説明】
【技術分野】
【０００１】
この発明は、住宅家屋等の屋根面に敷設される、太陽電池モジュールなどの機能パネルの固定部材と、その取付構造に関するものである。
より詳しくは、機能パネルとしての太陽電池モジュールを屋根面に敷設するに際し、固定部材と屋根板（野地板）との間の隙間における漏水が、軽減又は防止された機能パネルの固定部材およびその取付構造に関するものである。
【背景技術】
【０００２】
従来、太陽電池モジュール取付構造については、種々のものが提案されている。
【０００３】
例えば、特開２００７−１８６９０４号公報（特許文献１）においては、太陽電池モジュールを、固定部材を介してベース材に固定してなる太陽電池モジュール一体型屋根板が提案されている。
【０００４】
この太陽電池モジュール一体型屋根板は、
太陽電池モジュールの端部を挟持する側断面が略コ字形で、上水平部、垂直部、下水平部からなる保持部と、ベース材に固定される設置片と、該設置片に付設されたボルト及び該ボルトに締結されるナットと、前記設置片をベース材に固定した際に、下水平部とベース材との間に所定の隙間が形成されるように、前記下水平部と設置片とを連結する連結部と、を備える固定部材を用い、
前記固定部材の保持部により太陽電池モジュールの端部を挟持し、かつ、ボルト及びナットにより、前記固定部材の設置片をベース材に固定することによって、太陽電池モジュールをベース材に固定してなること
を特徴とするものである。
【先行技術文献】
【特許文献】
【０００５】
【特許文献１】特開２００７−１８６９０４号公報（特許請求の範囲，図１）
【発明の開示】
【発明が解決しようとする課題】
【０００６】
前記特許文献１に開示されている太陽電池モジュール一体型屋根板では、ベース材と固定部材との間で漏水するおそれがあった。
【０００７】
この発明はかかる現状に鑑み、固定部材と屋根板（野地板）との間の隙間における漏水が、軽減又は防止された機能パネルの固定部材、およびその取付構造を提供せんとするものである。
【課題を解決するための手段】
【０００８】
すなわち、この発明にかかる請求項１に記載の発明は、
屋根板と、断面略Ｉ形又はＨ形状の一対のレール材からなる固定主体とから構成され、
前記固定主体を、間隔を存して前記屋根板に固定するとともに、
少なくとも前記屋根板と固定部材との間の隙間を覆うよう、所要の厚さの金属板を設けること
を特徴とする機能パネルの固定部材である。
【０００９】
この発明の請求項２に記載の発明は、
屋根板上に固定された、断面略Ｉ形又はＨ形状の少なくとも一対のレール材からなる固定主体と、
前記固定主体間に挟持された機能パネルを備え、
少なくとも前記固定主体と前記屋根板との間の隙間は、所要の厚さの金属板で覆われていること
を特徴とする機能パネルの取付構造である。
【００１０】
この発明の請求項３に記載の発明は、
請求項２に記載の機能パネルの取付構造において、
前記機能パネルは、
その周囲端縁にフレームを備えるとともに、前記フレームを係止、支持し得るケース体によって、前記固定主体間に固定されていること
を特徴とするものである。
【００１１】
この発明の請求項４に記載の発明は、
請求項２又は３に記載の機能パネルの取付構造において、
前記機能パネルは、
太陽電池モジュールであること
を特徴とするものである。
【００１２】
この発明の請求項５に記載の発明は、
屋根板上に固定されたベース部材と、
前記ベース部材上に固定された支持部材と、
前記ベース部材の桁方向両側面に相対する一対の断面略Ｌ形状の金属部材と、
前記ベース部材と支持部材と金属部材と嵌合する、断面略Ｉ形又はＨ形状のレール材からなる固定主体と、
前記固定主体間に挟持された機能パネルを備えること
を特徴とする機能パネルの取付構造。
【発明の効果】
【００１３】
この発明によれば、機能パネルを屋根上に取付けるための固定部材と屋根板との間に形成される隙間を金属板で覆うか、あるいは固定部材を、屋根板上に固定されたベース部材と前記ベース部材上に固定された支持部材と固定部材と前記ベース部材の桁方向両側面に相対する一対の断面略Ｌ形の金属部材と嵌合させるので、従来、固定部材ないしこれに用いられる固定主体と屋根板との間に生じていた隙間における漏水を軽減又は防止することができる。
【００１４】
さらに、機能パネルとしての太陽電池モジュールと屋根板との間に間隙（通気層）が形成されるため、雨水が固定部材に接触し難くなり、固定部材の腐食を抑えて、雨漏りの発生や固定強度の低下を抑制することができる。
【図面の簡単な説明】
【００１５】
【図１】この発明の機能パネルの固定部材に用いられる固定主体の一実施形態を示した斜視図である。
【図２】この発明の機能パネルの固定部材の一実施形態を示した断面図である。
【図３】この発明の太陽電池モジュール取付構造の一実施形態を示した断面図である。
【図４】この発明の太陽電池モジュール取付構造の一実施例を示した斜視図であって、太陽電池モジュールの取り付け方法を模式的に示すものである。
【図５】この発明の機能パネルの固定部材に用いられる固定主体の他の実施形態を示した斜視図である。
【図６】この発明の太陽電池モジュール取付構造の他の実施形態を示した断面図である。
【図７】図６の太陽電池モジュール取付構造に用いられる固定主体を示した斜視図である。
【発明を実施するための形態】
【００１６】
以下、この発明は、太陽電池モジュール（以下、「機能パネル」という。）の固定部材と、当該機能用パネルの取付構造に関するもので、以下、その実施の一例を、添付の図面に基づいて具体的に説明する。
なお、この発明は、以下に説明する実施例にのみ限定されるものではなく、発明の要旨を変更しない範囲内において、種々変更することができるものである。
【００１７】
この発明の機能パネル７の固定部材１を構成する固定主体１ａは、図１に示すように、桁方向に沿って所要の幅と深さの開口部２を有する、断面略Ｉ形又はＨ形状のレール材からなるもので、鉄、鋼、ステンレスなどの鋼材や合成樹脂から構成され、所要の奥行を有する。
この固定主体１ａは、下面部には、その長手方向に沿って、所要の間隔を存して屋根板５に取付けるための取付用リベットなどの適当な固定手段６の挿通孔を有する。
【００１８】
この発明の機能パネル７の固定部材１は、図２で明らかなように、前記一対の固定主体１ａ，１ａと、屋根板５と、これらを覆う所要厚さの金属板４から構成されている。
【００１９】
具体的には、前記固定主体１ａは、前記屋根板５の上面に、桁方向に所要の間隔を存して配置され、取付用リベットなどの固定手段６によって固定される。
なお、この実施例においては、前記固定主体１ａは、前記屋根板５の上面に左右一対に配置されているが、２組以上を配置することもできる。
【００２０】
図２においては、前記固定主体１ａは、隣接する固定主体１ａ，１ａ間の働き幅ｄを、機能パネルの幅と同等となるような間隔で桁方向に配置しているが、この間隔は、選択される機能パネルの大きさに応じて選択すればよい。
同様に、前記固定主体１ａの長さについても、選択される機能パネルの大きさ（特にその幅）に応じて選択すればよい。
【００２１】
図２に示すように、前記屋根板５と、この屋根板５に取付けられる固定主体１ａは、所要の厚さの金属板４で覆われているので、この金属板４によって、前記屋根板５と固定主体１ａとの間の隙間が覆われる。
かかる構成によって、従来、固定主体１ａと屋根板５との間において生じていた、隙間における漏水を軽減又は防止することができる。
なお、この実施例において、金属板４は、固定主体１ａの表面全体から屋根板５表面まで覆っているが、少なくとも、屋根板５と固定主体１ａとの間の隙間が覆われていればよい。
【００２２】
前記金属板４の材質としては、例えば、ステンレス、アルミニウム、鉄などの金属が挙げられる。
【００２３】
前記固定主体１ａと屋根板５を金属板４で覆う方法については、特に制限はない。
したがって、前記固定主体１ａと屋根板５との間に形成される隙間が、少なくとも覆われる方法であればよい。
【００２４】
図３は、この発明の一実施形態としての機能パネルの固定部材１に、機能パネル７としての太陽電池モジュールを取り付けたもの、すなわち、この発明の太陽電池モジュール取付構造の一実施形態を示した断面図である。
【００２５】
前記機能パネル７は、その側端部を、一対の固定主体１ａ，１ａの相対する開口部２，２間に挟持・固定されている。
その際、前記機能パネル７と屋根板５との間においては、固定主体１ａの下面部が段部としての機能を果たし、間隙（空間）８が形成され、通気層として機能する。
この間隙８によって、雨水が、前記固定主体１ａに接触することがなく、機能パネル７と屋根板５との間に溜まったりすることが抑えられるので、固定主体１ａの腐食を抑えて、雨漏りの発生や固定強度の低下を抑制することができる。
【００２６】
なお、図３では、機能パネル７が固定部材１に取付けられているが、この機能パネル７の固定部材１には、太陽電池モジュール以外の各種機能パネルを取付けることができる。
【００２７】
以下、図１に示した固定主体１ａを使用した、機能パネル７の固定部材１への取付け例を説明する。
【００２８】
図４は、この発明の一実施形態を示したものであって、左右一対の固定主体１ａ，１ａを備える機能パネル７の固定部材１、すなわち、機能パネル７として太陽電池モジュールを取付けた状態にある太陽電池モジュール取付構造を示す斜視図である。
【００２９】
前記機能パネル７の周囲端縁には、フレーム９が装着されている。
この機能パネル７は、軒側端縁の挿入口から挿入されて、前記固定主体１ａ，１ａ間に挟持される。
ついで、前記フレーム９を係止・支持するケース体１０が、軒側端縁の挿入口から挿入され、前記機能パネル７は、このケース体１０によって固定主体１ａ，１ａ間に固定される。
したがって、前記機能パネル７は、特に軒方向への移動が防止される。
【００３０】
なお、この発明の機能パネルの固定部材１への、太陽電池モジュールなどの機能パネル７の取付けについては、前記方法に代えて、他の従来公知の方法によって行ってもよい。
【００３１】
この発明の実施例においては、前記固定主体１ａは、図１に示したもので説明したが、他の構成を有するものであってもよい。
【００３２】
例えば、図５に示すように、固定主体２１は、断面略コ字状の左右一対のレール材２１，２１を、それらの開口部２２が、桁方向に開口するよう互いに背中合わせにして連結させたものであってもよい。
その際、図５に示した一対の断面略コ字状の固定主体２１，２１を互いに連結させることなく一つの固定主体として屋根板に固定したものを複数使用しても、この発明と同じ効果が得られるので、このような構成を採用することも可能である。
【００３３】
さらに、この発明においては、図６に示されているような太陽電池モジュール取付構造としてもよい。
【００３４】
図７に示すように、太陽電池モジュール取付構造１０３は、図６と同様に、屋根板１０５上に固定されたベース部材１０８と、前記ベース部材１０８上に固定された支持部材１０９と、前記ベース部材１０８の桁方向両側面に相対する一対の断面略Ｌ形状の金属部材１０４，１０４と、これらの部材と嵌合する、断面略Ｉ形又はＨ形状のレール材からなる固定主体１０１と、前記固定主体１０１，１０１間に挟持された機能パネル１０７で構成されている。
【００３５】
図７の前記固定主体１０１には、桁方向に沿って所要の幅と深さの開口部１０１ａ，１０１ａが設けられるとともに、前記支持部材１０９と密接する部位には、上側に切欠くことによって、所要の幅と深さを有する切欠き開口部１０１ｃが形成されている。
前記固定主体１０１は、この切欠き開口部１０１ｃから、前記ベース部材１０８と支持部材１０９と金属部材１０４，１０４に嵌め込まれる。
さらに、前記固定主体１０１は、脚部１０１ｂ，１０１ｂを備える。
この脚部１０１ｂは、固定主体１０１の下方に向かって形成されているもので、前記ベース部材１０８及びこれに取り付けられた金属部材１０４，１０４と嵌合するためのものである。
この固定主体１０１は、鉄、鋼、ステンレスなどの鋼材や合成樹脂から構成され、所要の奥行を有する。
【００３６】
前記ベース部材１０８は、屋根板１０５上に取付け用リベット釘などの固定手段１０６で固定される。
その短手方向の幅は、金属部材１０４，１０４を取り付けた状態で、前記固定主体の脚部１０１ｂ，１０１ｂ間の幅と略同じになるように設定され、所要の奥行を有する。
【００３７】
前記支持部材１０９は、その奥行の長さが、前記ベース部材１０８の奥行の長さと略同じであって、その短手方向の長さは、前記固定主体１０１の切欠き開口部１０１ｃの幅とほぼ同じである。
この支持部材１０９は、前記ベース部材１０８上に接着剤などにより取付けられ、前記ベース部材１０８と一体化されている。
【００３８】
前記金属部材１０４は、図６で明らかなように、端面が略Ｌ字状で、前記ベース部材１０８の側面と当接するベース部材当接部１０４ａと、このベース当接部１０４ａに屈折して連設された、屋根板１０５と当接する屋根板当接部１０５ａとで構成され、所要の奥行を有するものである。
この金属部材１０４は、前記ベース部材１０８の桁方向両側面に配されている。
【００３９】
このような太陽電池モジュール取付構造によれば、前記金属部材１０４が、前記ベース部材１０８と屋根板１０５の間の隙間を覆うとともに、この金属部材１０４における、ベース部材１０８の側面に当接している部分の表面を、前記固定主体１０１の脚部１０１ｂが覆うという構成によって、固定主体と屋根板との間に生じていた隙間における漏水を軽減又は防止することができる。
【産業上の利用可能性】
【００４０】
この発明にかかる機能パネルの固定部材及び太陽電池モジュール取付構造は、固定部材と屋根板との間の隙間における漏水を軽減又は防止することを可能とするので、多くの屋根において有効に利用することができる。
【００４１】
特に、この発明にかかる機能パネルの固定部材及び太陽電池モジュール取付構造によれば、多くの屋根に太陽電池モジュールを簡単かつ容易に取付けることが可能となり、得られる電力を自家消費電力として有効に利用することができるようになる。
【符号の説明】
【００４２】
１      機能パネルの固定部材
１ａ    固定主体
２      開口部
３      太陽電池モジュール取付構造
４      金属板
５      屋根板
６      固定手段
７      機能パネル（太陽電池モジュール）
８      間隙
９      フレーム
１０    ケース体
２１    断面略コ字状の固定主体
２２    開口部
１０１    固定主体
１０１ａ  開口部
１０１ｂ  脚部
１０１ｃ  切欠き開口部
１０２    固定手段
１０３    太陽電池モジュール取付構造
１０４    金属部材
１０５    屋根板
１０６    固定手段
１０７    機能パネル（太陽電池モジュール）
１０８    ベース部材
１０９    支持部材
【図１】
2016176315.tif 000003
【図２】
2016176315.tif 000004
【図３】
2016176315.tif 000005
【図４】
2016176315.tif 000006
【図５】
2016176315.tif 000007
【図６】
2016176315.tif 000008
【図７】
2016176315.tif 000009